(57)【特許請求の範囲】
【請求項１】
左右両端ほど前方へ張り出し、左右の中間部分が外方へ張り出すようにし、前記左右両端はそれぞれ皮膚接触部が備わって成る皮膚の押圧部と、この押圧部とは別に少なくとも皮膚に適用する面に粘着性が備わったシートを載置するシート載置部を備えており、押圧部を指先で押圧することにより押圧部を撓ませて前記皮膚接触部を互いに遠ざけることによって、皮膚のしわが伸ばされ、更にシート載置部が前方に押し出されることによって、しわが伸ばされた皮膚にシートを貼り付けることができ、貼り付け後はシートから取り外
すことを特徴とするシート貼り付け器具。
【請求項２】
押圧部には補強リブが備わっている請求項１に記載のシート貼り付け器具。
【請求項３】
シート載置部は押圧部に対して前後方向へ移動自在に取り付けられている請求項１〜２のいずれかに記載のシート貼り付け器具。
【請求項４】
シート載置部が回転することにより、シートの向きを自在に変えることが可能な請求項１〜３のいずれかに記載のシート貼り付け器具。
【請求項５】
シート載置部が複数枚のシートを収納できる機能を有する請求項１〜４のいずれかに記載のシート貼り付け器具。
【請求項６】
少なくとも押圧部が撓み性のある素材で構成されている請求項１〜５のいずれかに記載のシート貼り付け器具。
【請求項７】
押圧部が羽状である請求項１〜６のいずれかに記載のシート貼り付け器具。
【請求項８】
しわ伸ばしシートと請求項１〜７のいずれかに記載のシート貼り付け器具からなるキット。
【発明の詳細な説明】
【技術分野】
【０００１】
本発明は、例えば顔面などのしわを伸ばすための薬効成分などを含浸させたシートや化粧水を含浸させたシートを患部に貼り付ける器具とこれを用いたキットに関する。
【背景技術】
【０００２】
例えば、顔面などのしわを伸ばすには、所謂バンソウコウやテープ類をしわ周辺の皮膚に貼着して物理的に引っ張るようにしたものが提案されている。また、しわの両側の皮膚を物理的に引っ張ることでしわ部分を押し広げるようにしたしわ取りバンドなども提案されている。更には、しわの上に直に貼り付けるしわ取りシートの他、適宜の薬効成分（しわ改善成分）を含浸させるとともに裏面に粘着性を備えた布製シートを、この裏面の粘着性によって、しわを伸ばしたい部分に貼着したり、粘着性を備えた薬効成分そのものをシート状にしてしわを伸ばしたい部分に貼着するなどの手法が提案されている。
【特許文献１】特開２００２−０４５２３２号公報
【特許文献２】特開２００４−２５４７８８号公報
【特許文献３】特開２００４−３１３２７７号公報
【特許文献４】実用新案登録第３０９０２０９号公報
【特許文献５】実開平０５−０８５３１５号公報
【特許文献６】実開昭６１−１８８５１７号公報
【特許文献７】特開平１０−１９４９６２号公報
【発明の開示】
【発明が解決しようとする課題】
【０００３】
そもそもしわを伸ばしたり、化粧水を浸透させたい部分（以下単に皮膚という）にこの種シート（本発明では以下単にシートともいう）を貼着する場合、皮膚のしわをそのままにして、その上からシートを貼着すると、薬効成分や化粧水などが必ずしも効果的に作用せず、望ましい効能を期待することはできない。ある程度は、皮膚などの凹凸を少なくし
た上でないと、シートそのものが皮膚全面に密着せず、薬効成分や化粧水などが効果的に皮膚に浸透しないからと推測される。
したがって、シートを貼着する前には皮膚のしわを必ず伸ばし、ここにシートを貼着することが肝要である。
【０００４】
しかし、上述の従来の手法では、シートを皮膚に上手く貼着できない問題点がある。
それは、従来の手法は、まず、片方の手指で皮膚のしわを伸ばし、この状態を保ったままで、空いている他方の手指でシートを離型紙から剥がし、更にシートをこの他方の手に持って皮膚に貼着する必要があった。つまりは、片手しか使えないために、シートを上手く離型紙から剥がせなかったり、シートがよじれて皮膚上にピッタリと密着できなかったり、思った部位に上手く載せられず、皮膚から外れた部位に貼着してしまうといった不都合をよく経験する。
つまり、従来の手法は、シートを片手でしか扱えなかった。
【０００５】
本発明者等は、これら従来の手法の問題点を解決すべく、種々検討を重ねた。その結果、片手だけで、又は片手だけで容易にしわを伸ばしながら、容易にシートを皮膚に貼り付けることを可能にした器具を開発したので、ここに提案する。
【０００６】
したがって、本発明の課題は、片手だけで、又は片手だけで容易にしわを伸ばしながら、容易にシートを貼着できるようにする点にある。
【課題を解決するための手段】
【０００７】
以上の技術的な課題を解決するために、本発明の請求項１に係るシート貼り付け器具は、左右両端ほど前方へ張り出し、左右の中間部分が外方へ張り出すようにし、前記左右両端はそれぞれ皮膚接触部が備わって成る皮膚の押圧部と、この押圧部とは別に少なくとも皮膚に適用する面に粘着性が備わったシートを載置するシート載置部を備えており、押圧部を指先で押圧することにより押圧部を撓ませて前記皮膚接触部を互いに遠ざけることによって、皮膚のしわが伸ばされ、更にシート載置部が前方に押し出されることによって、しわが伸ばされた皮膚にシートを貼り付けることができ、貼り付け後はシートから取り外すようにしたものである。
【０００８】
上記のような構成によれば、シートを、例えば離型紙から剥がして、これをシート載置部の前面に、載置もしくはシートそのものの粘着性を利用して貼着する。次いで、この器具を持ち、そのまま皮膚に押し当ててゆくと、押圧部が皮膚に当接したまま皮膚のしわを順次引き伸ばすように働き、しわによる凹凸が可及的に少なくなった平滑な皮膚面が現出される。そして、前記皮膚接触部は皮膚に対して優しく、しかも密着性を高める。更に器具を皮膚側に押付けるようにすると、シート載置部が皮膚に当接し、その表面側に載置されたシートが皮膚に貼着される。しわ伸ばし効果を高めたり、各種化粧水などを皮膚に浸透させたりできる。
【発明の効果】
【０００９】
したがって、この請求項１に係る発明は以下の効果を奏する。
以上説明したように、本発明の請求項１に係るシート貼り付け器具は、片方の手指で皮膚のしわを伸ばす手間が要らず、一方の手で器具を皮膚に押し当てるだけのワンタッチ作業で、押圧部に先行して載置部が皮膚に接触するのを防止でき、皮膚のしわを伸ばしながら、皮膚に、例えばしわ伸ばしシートや化粧水などを含浸させたシートなどを簡単に、しかも捩れたりすることなく、思いのままに、綺麗に貼着でき、所期のしわ伸ばし効果を十分に期待でき、しかもその作業には単に押圧部とシート載置部との、格段に簡素な構造からなる器具を採用するもので、製造も簡便で、格段に廉価に提供できる。しかも、押圧部の左右両端にそれぞれ横外方へ張り出す皮膚接触部が備わっているので、皮膚との密着性
が高かまり、しわ伸ばし効果が高まり、併せて肌には優しく接触できる。器具はシートを皮膚に貼り付けた後はこれを皮膚に貼り付けたシートから取り外すので、違和感無く軽快に使用できることは言うまでもない。併せて、少なくとも押圧部はこれを使い回しできるので、より経済的である。
【００１０】
【００１１】
【００１２】
以上の構成において、本発明は請求項２に記載のように、押圧部には補強リブが備わっているのが望ましい。
適度の硬さと、復元力が得られ、器具の耐久性を向上できる上に、所期の望ましいシート貼着作用を期待できるからである。
【００１３】
更に、請求項３に記載のように、シート載置部は押圧部に対して前後方向へ移動自在に取り付けられるのが望ましい。
シート載置部を前方へう押し出して、この載置部に載置されたシートを皮膚に押し付けることによって、皮膚への貼着がより一的確に行われるからである。
【００１４】
【００１５】
【００１６】
【００１７】
【００１８】
【００１９】
また、請求項４に記載のように、シート載置部が回転することにより、シートの向きを自在に変えることが可能に構成されているのが望ましい。
器具内で容易に回転できるので、貼り付け位置や角度などをうまく調整でき、しわ伸ばし効果を一層効果的に機能させることができるからである。
【００２０】
また、請求項５に記載のように、シート載置部が複数枚のシートを収納できる機能を有しているのが望ましい。
しわ伸ばしシートをシート載置部に一枚一枚載置する手間を要せず、軽快で能率のよいシートの貼り付けを可能にするからである。
【００２１】
更に、請求項６に記載のように、少なくとも押圧部が撓み性のある素材で構成されているのが望ましい。
押圧部を皮膚に押し当てて行くと、この押圧部が皮膚に接触したまま、その弾性復元力に抗して順次左右に拡開変形し、皮膚のしわを順次引き伸ばすように働き、手指でしわを伸ばす手間が要らず、一方の手で器具を皮膚に押し当てるだけのワンタッチ作業で、皮膚のしわを伸ばしながら、皮膚にシートを簡単に、しかも捩れたりすることなく、思いのままに、綺麗に貼着できる。しかも、押圧そのものを撓み性ある素材で構成することで、撓みを得るための別途機械的な手段を必要とせず、一層廉価に提供できるからである。
【００２２】
また、請求項７に記載のように押圧部が羽状であるのが望ましい。
効率的にしわ伸ばし効果を果たせるからである。
【００２３】
更に、以上に述べたシート貼り付け器具は、シートとセットにするのが望ましい。
【発明を実施するための最良の形態】
【００２４】
片手だけで簡便にシートを貼着できるようにするという目的を、格段に簡素な構造と簡便な取り扱い手法によって実現した。
なお、以下に示す各実施例において、一度説明した構造、部品と基本的に同じもの、つ
まり構造的、また、機能的に同じ構造、部品については統一して同じ符号を付し、その詳細な説明は省略している。
【００２５】
（実施例１）
本発明に係るシート貼り付け器具を目尻や口元など、顔面のしわ伸ばし効果を持つ薬効成分を含浸させたシート（以下、各実施例において、単にシートとも表現するが、以下に言うシートが先に述べたように化粧水などを含浸させたシート等も包含することには変わりがない）を貼着する器具に適用した場合の第１の実施例について、図１〜図３を参照しながら以下具体的に説明する。
【００２６】
図１は、本発明器具の実施例１の外観図で、１はステック状の握り部となる支え部で、手指で摘んで取り扱う。また、２はこの支え部１の先端に一体的に取り付けられている押圧部としてのシート貼り付け板部である。支え部１とシート貼り付け板部２とは合成樹脂を素材にして一体成形されている。
【００２７】
押圧部としてのシート貼り付け板部２は、左右両端２Ａほど前方に張り出すように、シート載置部の一例である湾曲した貼り付け面２Ｂを備えるように、支え部１との接合部位３（図２）が最も後方にあり、左右両端２Ａが最も前方に張り出すように、全体に緩く湾曲させて羽状に成形されている。湾曲度合いは、使用される皮膚に合わせて適宜に設定される。また、貼り付け面２Ｂの大きさも、部位によって適宜に設定されるが、左右幅が３〜７ｃｍ、これに直交する奥行き方向が１〜３ｃｍ程度が標準である。尚、前記貼り付け面２Ｂを逆さへの字形にして、屈曲した貼り付け面２Ｂに形成しても、この湾曲した貼り付け面２Ｂと同等の作用効果を発揮できることは言うまでもない。
【００２８】
このように構成されたしわ伸ばしシート貼り付け器具は、図１〜３に示すように、まず、しわを伸ばす薬効成分を含浸させたシートＳの裏面の離型紙（図外）を剥がして、このシートＳを、それ自身が備える湿潤性（弱い粘着性）を利用してシート貼り付け板部２の貼り付け面２Ｂに載置する。次いで、一方の手指をしわを伸ばしたい皮膚Ｆに添えて、当該部位をなるべくしわによる凹凸が少なくなるように平らに引き伸ばし、その状態を保つ。引き続き、器具の支え部１を空いている片方の手で持ち（図２）、そのシート貼り付け板部２の貼り付け面２Ｂを皮膚Ｆ側に向けてこれを押し当てる（図３）。すると、このシート貼り付け板部２の貼り付け面２Ｂ上に載置されているシートＳが皮膚Ｆに押し付けられて、皮膚Ｆに貼着される。シートＳが皮膚Ｆに十分に貼着されたことを確認した後、支え部１を顔面から遠ざけることによってシートの貼り付け作業が完了する。
【００２９】
なお、以上構成において、シート貼り付け板部２を皮膚Ｆに一層効果的に馴染ませるために、このシート貼り付け板部２をばね性を備えた素材で成形することが望ましい。具体的には、撓み性と、ある程度の硬度を備えているのが望ましく、斯かる要求を満足させる素材としては、例えばエラストマー樹脂、さらにはＡＢＳ樹脂が採用される。言うまでもなく人の顔面は大きな曲面、小さな曲面等種々の曲面が組み合わされて成るために、所謂平滑面は少なく、斯かる曲面にシート貼り付け板部２をうまく馴染ませるためには、このシート貼り付け板部２が顔面の曲面に応じて弾性変形できるようにするのが望ましいからである。また、湾曲度合いは、適用される皮膚の湾曲度合いに比べて大きく設定されるが、使用される皮膚に合わせて適宜に設定される。
【００３０】
このようにシート貼り付け部２に撓み性を持たせると、貼り付け面２Ｂにシートが載置された状態で、この器具を片手の手指で持ち、そのまま皮膚Ｆに押し当ててゆくと、シート貼り付け部２の両端がシートＳを介して皮膚Ｆに当接したまま皮膚Ｆのしわを順次引き伸ばすように働く。この状態において更に器具を皮膚側に押付けるようにすると、貼り付け面２Ｂが皮膚Ｆに当接し、その表面側に載置されたシートＳが皮膚Ｆに貼着される。
【００３１】
また、図示しないが、このシート貼り付け部２に撓み性を持たせる構造において、このシート貼り付け部２で前記貼り付け面２Ｂの内、皮膚に接触する箇所、具体的にはこの貼り付け面２Ｂの左右両端部分を除く中央側部分にシートＳの貼り付け面２Ｂを有する構造にしてもよい。このように、貼り付け面２Ｂの一部分に皮膚に直に接触する部位を設けて、ここを皮膚Ｓに直に接触させようにすることによって、皮膚と器具との相対的な接触摩擦を、シートＳを介する場合に比べて、一層大きくでき、この器具による皮膚の引き伸ばし作用が、格段に効果的に働くようになる。
【００３２】
次に、更に改良されたしわ伸ばしシート貼り付け器具の幾つかの実施例を、図４〜図１５の記載を参照しながら、以下説明する。
以下に示す実施例は、基本的にはワンタッチで、つまりは片方の手だけで、シートＳを貼着する前の皮膚Ｆの平滑性の実現とその後のこの皮膚ＦへのシートＳの貼着を器具のみで行える特異な器具の例を示し、前記第１の実施例に示す器具に、しわ伸ばし部品をユニット化した点に特徴がある。
【００３３】
（実施例２）
まず、図４〜図８に示すように、この実施例に示す器具は、基本的な部品が、前記実施例に示した支え部１とシート貼り付け板部２とから構成されるヘッド部分４と、このヘッド部分４の背部にあって、このヘッド部分４を保持し、併せて皮膚のしわを伸ばす、ばね部である本体部（以下単に本体部という）５と、この本体部５を取り扱うための平板状の取っ手部６を備えて形成されている。そして、支え部１、シート貼り付け板部２、本体部５並びに取っ手部６は、合成樹脂を素材にして成形されている。
【００３４】
なお、この発明に言う、押圧部とは、先に示した実施例１ではシート貼り付け板部２を指すが、本実施例２を含めて以下に示す各実施例においては、基本的に本体部５を指し、全体形状としては羽状に形成されている。また、シート載置部とは、前記実施例１ではシート貼り付け部２の貼り付け面２Ｂを指すが、本実施例２を含めて以下に示す各実施例においては、この本体部５とは別構成の前記シート貼り付け板部２そのものを意味している。ただし、実施例７は少し趣を異にするので、詳細は後述する。
【００３５】
そこで、本体部５は、図４（Ａ）, （Ｂ）, （Ｃ）、そして図５に示すように、正面視では左右両端５Ａほど前方に張り出すように、ほぼＵ字形を、また、平面視では左右の中間部分が最も外方に張り出すようにした、ほぼ小判型を呈している。この本体部５は、その内方に前記ヘッド部分４を収めることができるように、前記ヘッド部分４よりも、左右方向にも、また、奥行き方向にも、このヘッド部分４よりもやや大き目に形成されている。
【００３６】
この本体部５は、顔に接触させてしわを伸ばし（広げ）、皮膚のしわによる凹凸を可及的に少なくする機能を持たせるために、また、何度も繰り返して使用できるようにするために、適当な硬さと、復元性と、望むらくは皮膚へのフィット性、滑り難さを備える素材が採用される。具体的には、復元性を持たせるために、エラストマーやＡＢＳなどの樹脂素材が採用される。殊に、エラストマー樹脂の場合は、硬さを備えたポリエチレンテレフタレート樹脂が最も好ましい。更に、樹脂の硬さは、曲げ弾性率が１００ＭＰａ以上、４００ＭＰａ以下が、しわの伸び性（度合い）、使い易さを満足できるので、望ましい。
【００３７】
また、左右両端５Ａにはそれぞれ横外方斜め前方に向けて張り出す皮膚接触部（広幅の羽部）５Ｂが一体に備わっている。この皮膚接触部５Ｂは、皮膚に接触する部位で、皮膚との相対摩擦抵抗が大きく、滑りにくい素材が使用される。本体部５が滑りやすい素材を使用する場合には、二色成形法によってこの部位のみを別素材にすることが望ましい。更
には、この皮膚接触部（広幅の羽部）５Ｂは、本体部５よりも撓み性があり、かつ、柔らかな素材で構成されるのが望ましく、図例の大きさよりも更に大きな面積を備えるようにしてもよい。皮膚との密着性を高めてしわ伸ばし効果を高め、併せて、肌には優しく接触できるようにするためである。
【００３８】
更に、取っ手部６は、この本体部５の左右中央部分の背面側から後方に突設されていて、図５に示すように、その中心部分にはこの本体部５の前面５Ｃ側から凹入穴７が穿設されていて、ここに前記ヘッド部分４の支え部１が回転自在に嵌入されている。その嵌入深さ、更には支え部１の長さなどは、ヘッド部４を本体部５に組み込んだ際に、ヘッド部４のシート貼り付け板部２の少なくとも左右両端２Ａがこの本体部５の左右両端５Ａに設けられている前記皮膚接触部５Ｂよりも後方にあるように設定される〔図４（Ａ）〕。皮膚接触部５Ｂに先行してシート貼り付け板部２が皮膚に接触するのを防止するためである。すなわち、皮膚Ｆのしわが引き伸ばされていない間にシート貼り付け板部２が先行して皮膚に接触すると、しわによる凹凸が残されたままの皮膚にシートＳを貼着してしまうことになり、所期のしわ伸ばし効果を十分に期待できないからである。
【００３９】
したがって、以上の構成を備えた器具は、先の実施例と同様に、図６に示すように、まず、しわ伸ばしシートＳの裏面の離型紙（図外）を剥がして、このシートＳを、それ自身が備える湿潤性（弱い粘着性）を利用してシート貼り付け板部２に載置する。次に、図７に示すように、片方の手で取っ手部６を摘みあげて、器具をシート貼り付け板部２が皮膚側に向くようにして、これを皮膚に押し当てるようにする。この動作によって、まず本体部５の左右両端５Ａに設けられた皮膚接触部５Ｂが皮膚に接触する。この状態から更に取っ手部６を皮膚側に押し付けるようにすると、図８に示すように、この本体部５は本来的に適度の撓み性を備えているので、左右両端５Ａが互いに遠ざかる（拡開する）よう弾性変形する。しかし、この左右両端５Ａに設けられている皮膚接触部５Ｂは皮膚との相対摩擦抵抗が大きいため、最初に接触した皮膚部分はそのまま、この左右の皮膚接触部５Ｂによって押し広げられ、結果として皮膚Ｆが引き伸ばされ、しわによる凹凸が可及的に少なくなった平滑な皮膚面を現出する。
【００４０】
以上の一連の作動にやや遅れて、前記シート貼り付け板部２が本体部５の左右両端部５Ａよりも相対的に前方に押し出される形となる。その結果、このシート貼り付け板部２の貼り付け面２Ｂ上に載置されているシートＳが皮膚Ｆに押し付けられて、皮膚Ｆに貼着される。シートＳが皮膚Ｆに十分に貼着されたことを確認した後、取っ手部６を顔面から遠ざけることによってシートの貼り付け作業が完了する。
【００４１】
なお、シートＳの貼着場所によっては、その貼着角度や位置を調整する必要が生じる。斯かる場合には、図９に示すように、前記シート貼り付け板部２の本体部５に対する取り付け位置を調整することによってうまく対応できる。
【００４２】
更に、前記取っ手部６は、図１〜３に示すような、円柱体であったり、図４〜９に示すような、本体部５の奥行き方向と同じ幅を備え、左右方向には扁平な板体状であっても良い。いずれにしても、具体構造としては、図４や図５に示すように、取っ手部６の奥行き方向中央にボス部６Ａを一体に設け、ここに上部解放で有底の凹入孔７を設ける。本体部５の中央には表面５Ｃ側から背面側に貫通する嵌入孔５１を設け、もってこの嵌入孔５１を介して、本体部５の表面５Ｃ側から支え部１をこの凹入孔７内に回動自在に嵌合するものである。また、取っ手部６と支え部１との連結は、支え部１の周部にノッチ１Ａを設け、前記凹入孔７内にはこのノッチ１Ａに嵌合する突起７Ａを設け、この嵌合構造により、支え部１と取っ手部６とを取り付け、取り外しを可能にしている。なお、この取っ手部６は本体部５の背面に前記凹入孔７を備えて一体に設けても良い。
【００４３】
また、角度を変えた後のヘッド部４と本体部５との相対位置を維持する上から、凹入穴７の内径寸法と支え部１の外形寸法とを、積極的に外力を負荷しなければ勝手に相対回転しないような寸法にあらかじめ設定するのが望ましい。更には別の手段として、軸方向一部分に相対的な回転摩擦抵抗が大きくなるような小径部を凹入穴７に設けたり、逆に支え部１に大径部を設けたりすることもできる。更に、前記本体部５の左右両端５Ａに設けられている皮膚接触部５Ｂは、図６〜９に示されるように、単なる断面円形の肉厚構造であってもよいが、図４（Ａ）〜（Ｃ）に示されるような、広幅の羽部であるのが望ましい。また、図４（Ａ），（Ｃ）中、５Ｄは本体部５の背面で、前記嵌入孔５１の周囲に設けた補強用のステーで、図５中の６Ｂは、この補強用のステー５Ｄを嵌合して取っ手部６の取り付け位置を確保するために、この取っ手部６のボス部６Ａの上端部分に設けられた切り欠きである。
【００４４】
また、この実施例においては、図４（Ａ）、（Ｂ）に示すように、本体部５の望ましい適度の硬さ、復元力を得るために、補強構造を採用している。具体的には、正面視ほぼＵ字形を呈する本体部５の左右の立ち上がり壁部分（前記左右両側）５Ａと底壁との堺部分の内面側に、奥行き方向全長にわたり肉厚５３部分を設けたものである。この肉厚５３は必要に応じて採用される。このような肉厚５３を設けることによって、本体部５に程よい腰ができ、取っ手部６を押した時に、本体部５の左右両端５Ａが集中的に拡がり易くなり、かつ、復元力も強くなり、器具の耐久性を向上できる上に、所期の望ましいシート貼着作用を期待できる。この肉厚５３は必要に応じて採用される。本実施例においては、皮膚が伸ばされた状態でシートが張り付けられるので、シート貼り付け板部２の曲率度合いは、適用される皮膚と同じであることが好ましい。
【００４５】
（実施例３）
この第３の実施例は、本体部５の望ましい適度の硬さ、復元力を得るために工夫された構造を例示するもので、図１０（Ａ）, （Ｂ）に示すように、本体部５の背面に補強リブ８を一体に設けた点に構造上の特徴がある。
【００４６】
具体的には、図１０に示すように、正面視ほぼＵ字形を呈する本体部５の左右両端５Ａを除く、この本体部５の背面側で、しかも奥行き方向幅の中間部に補強リブ８としての突条が、取っ手部６の左右外周壁に一体に連設されて設けられている。このように、本体部５の取っ手部６側を補強し、左右サイド部分を補強しないでおくようにすることで、本体部５により一層程よい腰ができ、取っ手部６を押した時に、本体部５の左右両端５Ａが集中的に拡がり易くなり、かつ、復元力も強くなり、器具の耐久性を向上できる上に、所期の望ましいシート貼着作用を期待できる。
なお、本例の場合においては、取っ手部６は、図示されるように、丸棒体で形成されている。また、この補強リブ８は、図例では本体部５の底部部分のみに設けられているが、必要に応じて、図中想像線で示すように、左右両端５Ａの皮膚接触部５Ｂ背面まで延設されてもよい。適度な撓み性を持たせる上で望ましく、更には本体部５の取っ手部６側を補強する構造に比べて強度を更に高め、長期間の使用に上手く適用できる。
【００４７】
（実施例４）
この第４の実施例は、先に記した皮膚へのフィット性並びに滑り難さを得るために、本体部５の左右両端５Ａに二色成形法によって皮膚接触部５Ｂを一体に設けた手法の別の手段を例示するもので、図１１に示すように、基本的には、この皮膚接触部５Ｂを別の部材に置き換えた例を示す。具体的には、左右両端５Ａに横外方に一体に張り出す取り付けフランジ５Ｅが設けられ、この取り付けフランジ５Ｅに皮膚接触部５Ｂとなる別パーツ９が設けられる。
【００４８】
この別パーツ９は、図示するように、皮膚Ｆに接触するために扁平な、いわば前記皮膚
接触部５Ｂと同等の大きさの板体から構成される接触部９Ａと、その背面に一体に連設される繋ぎ棒９Ｂと、その遊端に連設される外れ止め９Ｃとからなる。そして、この別パーツ９は、取り付けフランジ５Ｅに前後方向に貫通して設けられた挿通孔５Ｆにその繋ぎ棒９Ｂが挿通されて設けられている。この挿通孔５Ｆの径は繋ぎ棒９Ｂよりも大径に、つまりばか孔に形成されている。また、この挿通孔５Ｆ内にはこの繋ぎ棒９Ｂを囲繞して、ゴムやウレタン製の弾性体９Ｄが挿入されている。したがって、繋ぎ棒９Ｂはこの挿通孔５Ｆ内において、前後方向への移動も、また、左右方向への傾きも比較的自在となる。
【００４９】
このように、別パーツ９と挿通孔５Ｆとの繋ぎ部に自由度を持たせることによって、顔面のように平らでないところでも、この別のパーツ９をピッタリとフィットさせることができる。なお、この際、前記接触部９Ａの材質としては、柔らかくて、滑り難くい、例えばスチレン系エラストマーが望ましい。
【００５０】
（実施例５）
この実施例５は、シートＳの皮膚Ｆへの貼着をより的確に行えるようにした、更に改善された構造を例示するもので、図１２（Ａ）, （Ｂ）に示すように、本体部５による皮膚Ｆの拡開作業が完了する迄は、シート貼り付け板部２を、可及的に皮膚Ｆから遠ざけておくようにしたもので、シート貼り付け板部２を本体部５に対してピストン式操作構造１０を介して前後方向へ移動自在に取付けたものである。
【００５１】
具体的には、本体部５の背部に設けた取っ手部６に、本体部５の前面からこの取っ手部６の後端に貫通する貫通孔１０Ａが設けられる。この貫通孔１０Ａ内に、シート貼り付け板部２の支え部１が、後端側をこの取っ手部６の後端から所定寸法後方に突出させた状態で挿通されている。この支え部１は取っ手部６の貫通孔１０Ａ内を前後方向に自在にスライドできるように構成されている。更に、この支え部１の後端には、支え部１の径よりも大径な親指当て１Ｂが一体に設けられている。他方、取っ手部６の後端には指用つば６Ｃが一体に設けられ、ちょうど注射器の要領で、シート貼り付け板部２を前方へ押し出すことができるようになっている。
【００５２】
したがって、まず、シート貼り付け板部２にシートＳを載置した後、親指当て１Ｂを摘んでこれを後方に引き、シート貼り付け板部２を本体部５の奥深く引退させる。次いで、先の各実施例と同様の要領で取っ手部６を持って本体部５を皮膚Ｆに押し当ててゆくと、左右両端５Ａの皮膚接触部５Ｂによって皮膚が左右に引き伸ばされる。このとき、シート貼り付け板部２はＵ字型の本体部５の奥深く引退しているために、不用意にシートＳが皮膚Ｆに接触するおそれがない。引き続き、取っ手部６の指用つば６Ｃに人差し指と中指を引っ掛けてこれを保持し、支え部１の親指当て１Ｂを親指の腹で前方へ押し出す。この動作によって、シート貼り付け板部２は前方へ押し出され、貼り付け面２Ｂ上に載置されているシートＳが皮膚Ｆに押し付けられて、皮膚Ｆに貼着される。シートＳが皮膚Ｆに十分に貼着されたことを確認した後、取っ手部６を顔面から遠ざけるようにした器具を顔面から遠ざけ、シートの貼り付け作業が完了する。
【００５３】
（実施例６）
この第６の実施例は、特にシートＳの皮膚Ｆへの貼着とシート貼り付け板部２の引退操作を簡便に行わせるために工夫されていて、図１３〜１５に示すように、シートＳをシート貼り付け板部２とは別個の押圧具１１をもって的確に貼着できるとともに、シートＳを貼着すべく前方へ押し出されたこのシート貼り付け板部２を、スプリングの弾性反発力を用いて、後方へ引退させるようにした構造を例示す。なお、本体部５の左右両側５Ａの構造、また補強リブ８を設ける構造、更に、それらの素材などは前記の各実施例に記載したところと変わりはない。
【００５４】
具体的には、図１３, １４に示すよう、前記シート貼り付け板部２の中央に前方を解放した平面視円形で、有底の凹入部１２が所定の深さで形成されているとともに、この凹入部１２内に円板状の前記押圧具１１が、この凹入部１２の底から開口部までの間をスライド自在にして収容されている。この押圧具１１の背面からは後方に向かって一体にロッド１１Ａが延設され、本体部５の背面側に突出している。
【００５５】
シート貼り付け板部２の凹入部１２の背面からは一体に筒部１２Ａが延設されていると共に、この筒部１２Ａは本体部５の前面から一体に立上げた支え筒部２Ｃに、その軸心を中心にして回転自在に外嵌合されている。また、図１３（Ｂ）に示すように、支え筒部２Ｃの下位部分外周には突起２Ｄが突設されていて、筒部１２Ａの下位内周部分に穿設されたノッチ１２Ｂ内に無理嵌めされて、このシート貼り付け板部２が本体部５から離脱不能に構成されている。
【００５６】
また、前記支え筒部２Ｃの後端からは、本体部５を貫いて背面側に一体に背面筒部２Ｅが延設されている。更に、この背面筒部２Ｅの外側には、遊端が解放されているとともに、この背面筒部２Ｅよりも更に後方までこの本体部５の背面から一体に延設された取っ手部６となる円筒体１３が設けられている。そして、前記押圧具１１のロッド１１Ａは、図示されるように、前記支え筒部２Ｃからこの背面筒部２Ｅを貫いて更に後方に至り、更にこの円筒体１３の後端よりも後方にまで伸びている。
【００５７】
前記背面筒部２Ｅと円筒体１３の間には間隔１４が形成されていて、ロッド１１Ａの後端に一体に連ねた押しボタン１５が、前後スライド自在に嵌挿されている。具体的には、後端が閉止され前端が解放された筒状体１５Ａがその後端内面をこのロッド１１Ａの後端に一体に連結されていて、その内部にはロッド１１Ａの周囲を囲繞する形で、しかもこの筒状体１５Ａの後端内面と前記背面筒部２Ｅとの後端縁とにわたって、圧縮スプリング１６が内装されている。
【００５８】
また、図１４に示すように、前記背面筒部２Ｅの後端（下端）外周面とこれに対向する筒状体１５Ａの前端（上端）外周面には互いに係合し合う抜け止め用の突起１７が設けられていて、押しボタン１５が本体部５から不用意に離脱するのを防止している。
【００５９】
更に、筒状体１５Ａの前記突起１７を設けた場所とは異なる別の前端外周面には、横外方に突出する係止突起１８が設けられているとともに、前記円筒体１３の所定の個所にはこの係止突起１８を係止する係止孔１９が設けられている。この係止孔１９を設ける位置は、前記押圧具１１の前方側最大突出位置にあるように寸法設定されている。また、この係止突起１８よりも押しボタン１５の後端側に寄った位置には、横外方に突出させて、前記係止突起１８を係止孔１９から離脱するためのロック解除ボタン２０が設けられている。更に、このロック解除ボタン２０をガイドするために、前記円筒体１３にはガイド溝２１が設けられている。
【００６０】
このロック解除ボタン２０によって、前記係止突起１８を係止孔１９から係合解除するには、このロック解除ボタン２０を、前記円筒体１３側方からに内方に向かって押圧することで、このロック解除ボタン２０より前方側に位置する前記筒状体１５Ａの周壁を中心側に向かって変形させ、この変形によって、係止突起１８を中心側へ偏倚させ、もって係止孔１９から離脱させるのである。
【００６１】
以上の構成からなるこの第６の実施例では、図１３、１４に示す各部品待機の状態から、まずシート貼り付け板部２にシートＳを載置した後、図３, ８, １２（Ｂ）と同様に、片方の手で取っ手部６となる円筒体１３を摘み上げて、器具をシート貼り付け板部２が皮膚側に向くようにして、これを皮膚に押し当てるようにする。この動作によって、まず本
体部５の左右両端５Ａに設けられた皮膚接触部５Ｂが皮膚に接触する。この状態から更に円筒体１３を皮膚側に押し付けるようにすると、この本体部５は本来的に適度の撓み性を備えているので、左右両端５Ａが互いに遠ざかる（拡開する）よう弾性変形する。しかし、この左右両端５Ａに設けられている皮膚接触部５Ｂは皮膚との相対摩擦抵抗が大きいため、最初に接触した皮膚部分はそのまま、この左右の皮膚接触部５Ｂに押し広げられ、結果として皮膚が引き伸ばされ、しわによる凹凸が可及的に少なくなった平滑な皮膚面を現出する。
【００６２】
以上の一連の作動にやや遅れて、前記シート貼り付け板部２が本体部５の左右両端部５Ａよりも相対的に前方に押し出される形となる。そこで、次に押しボタン１５を押圧し、圧縮スプリング１６の弾性反力に抗して、これを前方へ押し出す。この動作によって、前記押圧具１１が凹入部１２の底から開口に向かって押上げられ、ついにはシートＳをその背面から押圧して皮膚Ｆにしっかりと押圧する。同時に係止突起１８が係止孔に１９に係合されるので、押しボタン１５の押圧を解除してもこの皮膚へのシートＳの押圧状態が引き続き保たれる。その結果、シートＳの皮膚Ｆへの貼着が的確に行われる。シートＳが皮膚Ｆに十分に貼着されたことを確認した後、取っ手部６を顔面から遠ざけることによってシートの貼り付け作業が完了する。
【００６３】
貼着作業が完了したら、ロック解除ボタン２０を押圧して、係止突起１８を係止孔１９から離脱し、圧縮スプリング１６の弾性反力によって、押しボタン１５を後方へ引退させ、押圧具１１を再び凹入部１２内に没入させ、次のシート貼着作業に備える。
【００６４】
この第６の実施例では、前記のように、特にシートＳを部分的に他の部位よりもより強く皮膚Ｆに押圧でき、シートＳの皮膚Ｆへの貼着をより的確に行う上で有効な手段である。
なお、本例の場合においては、取っ手部６は、図示されるように、丸棒体で形成されている。また、この補強リブ８は、図例では本体部５の底部部分のみに設けられているが、必要に応じて、図１３中想像線で示すように、左右両端５Ａの皮膚接触部５Ｂ背面まで延設されてもよい。
【００６５】
（実施例７）
この第７の実施例は、特にシートＳの皮膚Ｆへの貼着をより簡便に、しかも能率良く行なえるように工夫されていて、図１６に示すように、本体部５に複数枚のシートＳを積層したカートリッジを着脱自在に装着するようにしたものである。
なお、本体部５の左右両側５Ａの構造、また補強リブ８を設ける構造、更にはそれらの素材などは前記の各実施例に記載したところと変わりはない。
【００６６】
具体的には、図１６に示すよう、本体部５の中央に、１０枚がワンセットとなって積層されたシートＳが収納される、上方開放型のカートリッジ２２を設ける。カートリッジ２２の上部開口２２Ａの左右両辺縁には内方へ突き出して、最上部のシートＳの辺縁を軽く係止するリブ２３が設けられ、最上部のシートＳがカートリッジ２２から不用意に離脱するのを阻止する。このカートリッジ２２の底には、圧縮ばね２４の弾性反発力によって常時カートリッジ２２の前記上部開口２２Ａに向けて押圧勝手に付勢された、中央部がやや上方に向けて膨出して部分円弧面を備えてなるシート受け２５が設けられている。具体的には、このシート受け２５の背面より下方に押し棒２６が一体的に突設されていて、この押し棒２６が本体部５に設けた嵌入凹穴２７内に嵌合され、この嵌入凹穴２７の底に設けられた前記圧縮ばね２４によって押し棒２６の端末が常時押圧力を受けるようしてある。この押し棒２６の端末にはやや大径の鍔２６Ａが設けられ、嵌入凹穴２７の入り口直下にこの嵌入凹穴２７に向けて突設した係合リブ２７Ａによって、嵌入凹穴２７からの離脱が阻止されている。本体部５の内面５Ｃ側の中央部分に突設されている嵌入凹穴２７を形成
するための筒部２７Ｂの外面に設けたノッチ２７Ｃとカートリッジ２２の背面から一体に突設されてこの筒部２７Ｂに外嵌合される嵌合筒２２Ｂの内面に設けた突起２２Ｃによる嵌合構造により、カートリッジ２２は前記筒部２７Ｂに対して取り付け、取り外し自在に構成されている。したがってこの実施例において、他の実施例と少し趣を異にして、シート載置部とは、基本的には、このカートリッジ２２とシート受け２５を指している。
【００６７】
したがって、片方の手で取っ手部６を摘み上げて、器具をカートリッジ２２の最上層のシートＳが皮膚側に向くようにして、これを皮膚に押し当てるようにする。この動作によって、まず本体部５の左右両端５Ａに設けられた皮膚接触部５Ｂ（図例では前記別パーツ９が採用されている）が皮膚に接触する。この状態から更に取っ手部６を皮膚側に押し付けるようにすると、この本体部５は本来的に適度の撓み性を備えているので、左右両端５Ａが互いに遠ざかる（拡開する）よう弾性変形する。しかし、この左右両端５Ａに設けられている皮膚接触部５Ｂは皮膚との相対摩擦抵抗が大きいため、最初に接触した皮膚部分をそのまま押し広げられて行き、結果として皮膚が引き伸ばされ、しわによる凹凸が可及的に少なくなった平滑な皮膚面を現出する。
【００６８】
以上の一連の作動にやや遅れて、最上層のシートＳが本体部５の左右両端部５Ａよりも相対的に前方に押し出される形となるので、皮膚Ｆにしっかりと押圧される。シートＳが皮膚Ｆに十分に貼着されたことを確認した後、取っ手部６を顔面から遠ざけることによってシートの貼り付け作業が完了する。このとき、圧縮ばね２４の働きで、カートリッジ２２内の次位のシートＳが開口２２Ａに押しやられ、その辺縁が前記リブ２３によって係止されて、その位置が保たれ、次のシート貼着作業に備える。なお、カートリッジ２２内のシートＳを全部使い終わったら、カートリッジ２２を前記筒部２７Ｂから抜き去り、新しいカートリッジと取り替える。
【００６９】
以上の各実施例にあって、構造の簡素化を図ったり、更に機能をアップさせたりなどのために、以下に示す変形例を採用できる。これらの変形例は、この発明の所期の趣旨に逸脱しない範囲において上記各実施例、また、各変形例に組み込んだり、取り替えたりすることができることは言うまでもない。
【００７０】
（変形例１）
図１７は、前記図１２〜１５に示されるプッシュ式の器具の変形例で、構造の簡素化を図ったものである。具体的には、本体部５の背面に支え部１をスライド並びに回動自在に挿通させる筒部材２８を設け、この筒部材２８に、内底部に圧縮コイルスプリング２９を内蔵させた有底筒状の取っ手６をスライド自在に外嵌合させる。支え部１の下端はこの取っ手６の筒内に嵌入されていて、その底部に支えられている。前記圧縮コイルスプリング２９の上端は前記筒部材２８の下端部に当接していて、常時この取っ手６を下方へ、つまり本体部５から遠ざかる方へ押圧付勢していて、シート貼り付け板部２が待機姿勢を保つように構成されている。なお、取っ手６の筒部材２８からの離脱防止は、この取っ手６の上端内周面に設けた突出リブ６６と筒部材２８の下端部外周面に設けた突出リブ２８Ａとの係合によって行われる。構造が簡素で、廉価に提供できる。
【００７１】
（変形例２）
図１８（Ａ）、（Ｂ）に示す構造は、前記本体部５の左右両側５Ａに設けた皮膚接触部５Ｂの皮膚との摩擦抵抗を高めるための変形例で、（Ａ）に示す構造は、この皮膚接触部５Ｂを広幅の羽部に形成し、この広幅の羽部の表面に奥行き方向に向かって多数の隆起条を所定間隔を開けて一体に突設させて、滑り止め３０を形成してある。また、（Ｂ）に示す構造は、この広幅の羽部の最外側部を上方へ立ち上げて、同様の滑り止め３０を形成してある。
【００７２】
（変形例３）
図１９に示す構造は、本体部５の望ましい適度の硬さ、復元力を得るための補強構造の変形例を示している。具体的には、正面視ほぼＵ字形を呈する本体部５の前後の辺縁に沿って、左右の立ち上がり壁部分（前記左右両側）５Ａから更に皮膚接触部５Ｂに至る全域にわたって、背面側に突設したリブ３１を設けたものである。
【００７３】
次に以上の実施例に関し、器具のシート貼り付け板部２を持つ器具（具体的には図４に示した器具２例）とカートリッジ２２を持つ器具（具体的には図１６に示した器具１例）に、シート貼り付け板部２またはカートリッジ２２と同じ大きさのゲルシートＳを装置し、実際に目尻に貼着した使用例について、被験者（Ｎ＝２０）の主観によるしわ伸ばし効果感を評価した。
【００７４】
使用した器具、更にはシートの条件は次のとおりである。
１．器具の条件
Ａ．図４に示した器具２例の引き伸ばし効果
ａ．１例目は器具の押し広げる前の皮膚接触部５Ｂ間の長さが３．５ｃｍで、器具を押
し広げた後の皮膚接触部５Ｂ間の長さが５ｃｍのもので、目尻のしわの引き伸ばし効
果は１４３％のもの。
ｂ．２例目は器具の押し広げる前の皮膚接触部５Ｂ間の長さが２．０ｃｍで、器具を押
し広げた後の皮膚接触部５Ｂ間の長さが４ｃｍのもので、目尻のしわの引き伸ばし効
果は２００％のもの。
Ｂ．シート板部
ａ．１例目は１．５ｃｍ×３．０ｃｍの樹脂製の板の上に微粘着剤を塗布し、シートの
不織布面が擬似接着するようにした。
ｂ．２例目は１．５ｃｍ×３．０ｃｍの樹脂製の板の上にウレタンでできたシートを貼
り付け、このウレタンとシートの不織布面が擬似接着するようにした。
Ｃ．図１６に示した器具１例
器具の押し広げる前の皮膚接触部５Ｂ間の長さが３．５ｃｍで、器具を押し広げた
後の皮膚接触部５Ｂ間の長さが５ｃｍのもので、目尻のしわの引き伸ばし効果は１４
３％のもの。１．５ｃｍ×３．０ｃｍのシートが１０枚収納できるカートリッジを使
用。
２．シートの条件
いずれの場合も、用いられるシートＳは、１．５ｃｍ×３．０ｃｍである。
３．比較例に関しては、器具を使用せずにゲルシートＳを単に皮膚Ｆに貼り付けた場合について、同様に評価した。
【００７５】
評価の結果は、一例目並びにカートリッジを使用した器具で、それぞれしわ伸ばし効果があると応えた被験者は６０％、また２例目の器具では、５８％という結果が出た。これに対して比較例でしわ伸ばし効果があると応えた被験者は２７％に止まった。
【００７６】
この評価の結果からも理解されるように、この発明に係るしわ伸ばしシート貼り付け器具は、いずれのタイプも、従来の手法の一つである比較例に対して、そのしわ伸ばし効果が２倍もアップし、実効性のあることが分かった。
【図面の簡単な説明】
【００７７】
【図１】本発明に係るしわ伸ばしシート貼り付け器具の第１の実施例を示す外観図である。
【図２】図１に示される実施例１の取り扱い説明図である。
【図３】図１に示される実施例１の作用図である。
【図４】本発明に係るしわ伸ばしシート貼り付け器具の第２の実施例を示し、（Ａ）は正面図、（Ｂ）は平面図、（Ｃ）は側面図である。
【図５】一部を取り出して拡大した要部の拡大図を含む図４（Ａ）中のＡ−Ａ拡大断面図である。
【図６】図４に示される実施例２の作用の説明図である。
【図７】図４に示される実施例２の作用の説明図である。
【図８】図４に示される実施例２の作用の説明図である。
【図９】図４に示される実施例２の作用の説明図である。
【図１０】本発明に係るしわ伸ばしシート貼り付け器具の第３の実施例を示し、（Ａ）は正面図、（Ｂ）は背面図である。
【図１１】本発明に係るしわ伸ばしシート貼り付け器具の第４の実施例を示す要部の一部切欠き拡大正面図である。
【図１２】本発明に係るしわ伸ばしシート貼り付け器具の第５の実施例を示し、（Ａ）は外観図、（Ｂ）は作用説明図である。
【図１３】本発明に係るしわ伸ばしシート貼り付け器具の第６の実施例を示し、（Ａ）は一部切欠き正面図、（Ｂ）は要部の拡大正面図である。
【図１４】図１３中Ａ−Ａ断面図である。
【図１５】図１４に示される実施例６の作用の説明断面図である。
【図１６】本発明に係るしわ伸ばしシート貼り付け器具の第７の実施例を示し、一部を取り出して拡大した要部の拡大図を含む一部切り欠き正面図である。
【図１７】本発明に係るしわ伸ばしシート貼り付け器具の変形例を示す一部切り欠き正面図である。
【図１８】本発明に係るしわ伸ばしシート貼り付け器具の別の変形例を示し、（Ａ）、（Ｂ）は共に一部を取り出して拡大した要部の拡大図を含む平面図である。
【図１９】本発明に係るしわ伸ばしシート貼り付け器具の別の変形例を示し、（Ａ）は一部切り欠き側面図、（Ｂ）は背面図である。
【符号の説明】
【００７８】
１…支え部
２…シート貼り付け板部
２Ａ…左右両端
２Ｂ…貼り付け面
４…ヘッド部分
５…ばね部
５Ａ…左右両端
５Ｂ…皮膚接触部
６…取っ手部
Ｓ…シート
【図１】
0005204949.tif 000002
【図２】
0005204949.tif 000003
【図３】
0005204949.tif 000004
【図４】
0005204949.tif 000005
【図５】
0005204949.tif 000006
【図６】
0005204949.tif 000007
【図７】
0005204949.tif 000008
【図８】
0005204949.tif 000009
【図９】
0005204949.tif 000010
【図１０】
0005204949.tif 000011
【図１１】
0005204949.tif 000012
【図１２】
0005204949.tif 000013
【図１３】
0005204949.tif 000014
【図１４】
0005204949.tif 000015
【図１５】
0005204949.tif 000016
【図１６】
0005204949.tif 000017
【図１７】
0005204949.tif 000018
【図１８】
0005204949.tif 000019
【図１９】
0005204949.tif 000020